(57)【要約】【課題】  在来工法にも、本発明に係る外壁ユニット工法にも適用でき、外壁ユニット工法に適用する場合には、現場工期の短縮と人手を削減できると共に安全性を高めることができる水切り装置を提供することを目的とする。【解決手段】  基礎１に固定される土台２と外壁材８との間に配置され、土台２に固定される係止具１１と、水切り部材１２とを備え、水切り部材１２は、土台２と外壁材８との間で外壁材８の下縁９よりも低い位置から該下縁９よりも高く立ち上げられる堰板部１７と、堰板部１７の下縁に連続して基礎１の外側まで外下がりに延出される水受部１８と、水受部１８の外側縁から垂設される水切り部１９とを有し、堰板部１７が蟻嵌合により係止具１１に係脱可能に係着される。【選択図】  図１
2005097905.tif 000002
【特許請求の範囲】
【請求項１】
土台と、該土台の外側面及び底面から所定の間隙を置いて配置される外壁材とを備える外壁ユニットにおいて、
水切り部材を係着させる係止具が上記所定の間隙内に配置され、上記土台の外側面に固定されていることを特徴とする外壁ユニット。
【請求項２】
上記係止具が上記外壁材の下縁と上記土台の底面とのいずれか高い方の高さ以上に高く配置されていることを特徴とする請求項１に記載の外壁ユニット。
【請求項３】
上記水切り部材が、上記土台と外壁材との間で該外壁材の下縁よりも低い位置から該下縁よりも高く立ち上げられる堰板部と、この堰板部の下縁に連続して、当該外壁ユニットを据付ける基礎構造物の外側まで外下がりに延出される水受部と、この水受部の外側縁から垂設される水切り部とを有し、上記堰板部が係止具に該堰板の弾性変形を利用して蟻嵌合により係着されることを特徴とする請求項１又は２に記載の外壁ユニット。
【請求項４】
請求項１ないし３のいずれか１項に記載の外壁ユニットを基礎構造物に据付けた後、該外壁ユニットの係止具に水切り部材を係着することを特徴とする外壁ユニット工法。
【請求項５】
外壁材から該外壁材を据付ける基礎構造物への雨水の滴下を防止する水切り部材を備える水切り装置において、
上記基礎構造物の上に固定される土台と上記外壁材との間に上記土台に固定される係止具が設けられ、上記水切り部材が、上記土台と外壁材との間で該外壁材の下縁よりも低い位置から該下縁よりも高く立ち上げられる堰板部と、この堰板部の下縁に連続して、当該外壁ユニットを据付ける基礎構造物の外側まで水平に又は外下がりに延出される水受部と、この水受部の外側縁から垂設される水切り部とを有し、上記堰板部が蟻嵌合により上記係止具に係着されることを特徴とする水切り装置。
【発明の詳細な説明】
【技術分野】
【０００１】
本発明は、建物の外壁ユニット及び外壁ユニット工法並びに基礎水切りなどの水切り装置に関する。
【背景技術】
【０００２】
建物の基礎構造物が外壁ユニットの外壁材から滴下する雨水で汚されることを防止するために、基礎又は土台に支持部材を支持させ、この支持部材に水切り部材を支持させる構成が特許文献１に記載されている。
【特許文献１】特開２００１−１７３１１５号公報  上記支持部材は、外壁ユニットとは別体に形成され、外壁ユニットを基礎に据付ける前に基礎上の所定の位置に配置され、その上に載せられた外壁ユニットの土台と共に基礎に固定される。
【発明の開示】
【発明が解決しようとする課題】
【０００３】
このため、建築現場において、支持部材を配置する位置を墨付け、罫書きなどにより割り出す必要があり、現場施工時間が長くなると共に、人手が多く掛るという問題がある。
【０００４】
又、外壁ユニットを据付ける際に、外壁ユニットなどの他物や作業者が支持部材に接触して支持部材が破損したり、変形したり、位置ずれしたり、外れたりすることがあり、破損あるいは変形した支持部材を交換したり、位置ずれした支持部材の位置を修正したり、脱落した支持部材を配置し直したりするためには、クレーンで吊下げられた不安定な外壁ユニットと基礎の間に手を入れる必要があり、このために据付工事の安全性が損なわれる。
【０００５】
本発明に係る外壁ユニット及び外壁ユニット工法は、これらの従来技術の課題を解消し、現場施工時間を大幅に短縮することができると共に、人手を削減することができ、しかも、据付工事の安全性を高めることができる外壁ユニット及び外壁ユニット工法を提供することを目的とする。
【０００６】
又、本発明に係る水切り装置は、在来工法にも、本発明に係る外壁ユニット工法にも適用でき、外壁ユニット工法に適用する場合には、現場工期の短縮と人手を削減できると共に安全性を高めることができる水切り装置を提供することを目的とする。
【課題を解決するための手段】
【０００７】
本発明に係る外壁ユニットは、上記目的を達成するため、土台と、該土台の外側面及び底面から所定の間隙を置いて配置される外壁材とを備える外壁ユニットにおいて、水切り部材を係脱可能に係着させる係止具が上記所定の間隙に配置され、上記土台に固定されていることを特徴とする技術的手段を採用する。
【０００８】
本発明の外壁ユニットによれば、係止具が外壁ユニットに組付けられているので、建築現場で係止具の配置を割り出す作業、係止具を設置する作業、破損した係止具や変形した係止具を交換する作業、位置ずれした係止具の位置を修正する作業、脱落した係止具を再配置する作業などが不要になり、現場施工時間をすこぶる大幅に短縮することができる上、人手をすこぶる大幅に削減することができる上、係止具の交換、位置修正、再配置などのためにクレーンで吊下げられた外壁ユニットと基礎の間に手を差込む必要がなくなり、据付作業の安全性を著しく高めることができる。
【０００９】
又、本発明の外壁ユニットによれば、土台と外壁材とにより係止具が他物と接触することや、係止具に泥、モルタルなどの汚物が降り掛かることが防止されるので、水切り部材を係着する前に係止具が他物との接触により破損したり、変形したり、位置ずれしたり、脱落したりすることや、汚物の付着により水切り部材を装着できなくなることを確実に防止することができる。
【００１０】
加えて、本発明の外壁ユニットによれば、基礎構造物への外壁ユニットへの据付後に水切り部材が上記係止具に係着されるので、水切り部材を設置する前に、水切り部材が外壁ユニットなどの他物と接触して破損したり、変形したり、位置ずれしたり、脱落したりすることや、水切り部材に汚物が付着して外観上の美観が損なわれることを確実に防止できる。
【００１１】
なお、この明細書で用いる、基礎構造物には、地表に設けられる布基礎などの外壁用の基礎だけでなく、地下から地上にわたって設けられる地下室の躯体、下階の躯体、下階の外壁構造物など、その上に外壁ユニットが据付けられる構造物が広く含まれる。
【００１２】
ところで、本発明の外壁ユニットにおいては、該外壁ユニットの輸送中、保管中並びに据付工事中に上記係止具が他物と接触したり、上記係止具に汚物が付着したりすることを確実に防止することが好ましい。
【００１３】
このため、本発明の外壁ユニットにおいては、上記外壁材の下縁と上記土台の下縁とに接する面よりも上側に上記係止具が配置されている構成を採用することが好ましく、上記外壁材の下縁と上記土台の下縁とのいずれか高い方よりも上記係止具が高く配置されている構成を採用することが更に好ましい。
【００１４】
なお、上記係止具の材質は、特に限定されず、例えば金属、合成樹脂、木材などを用いることができるが、耐候性、耐久性、土台との接合強度などを考慮すれば、金属あるいは合成樹脂を用いることが好ましい。
【００１５】
又、上記係止具は土台の軸方向の全長にわたって設けてもよいが、材料コストを削減すると共に、外壁ユニットの軽量化を図るために、土台の軸方向に適当な間隔を置いた複数箇所に分散して設けることが好ましい。この場合の係止具の間隔は、特に限定されないが、水切り部材の垂下りが生じない程度に大きくすることができ、例えば１８００ｍｍ程度まで大きくすることができ、水切り部材のオーバーハング（水切り部材の端部から最寄の係止具までの距離）は例えば３００ｍｍ程度まで大きくすることができる。
【００１６】
更に、この場合において、係止具の土台軸方向の幅は、水切り部材の重量を分担でき、かつ土台に確実に固定できる程度の幅であればよく、例えば３０〜１００ｍｍ程度、好ましくは５０ｍｍ程度にすればよい。
【００１７】
なお、係止具を土台に固定する方法としては、ビス止め、接着、溶接、あるいはこれらの中の２方法以上を併用する方法を採用すればよい。
【００１８】
ところで、一般に、基礎水切り装置などに用いる水切り部材は、土台と外壁材との間で該外壁材の下縁よりも低い位置から該下縁よりも高い位置まで立ち上げられる堰板部と、この堰板部の下縁に連続して、当該外壁ユニットを据付ける基礎構造物の外側まで水平に又は外下がりに延出される水受部と、この水受部の外側縁から垂設される水切り部とを有している。
【００１９】
これら堰板部、水受部及び水切り部の中のいずれを係止具に係着させるかは自由に設計することができるが、上述したように、上記係止具が、上記外壁材の下縁と上記土台の下縁とのいずれか高い方よりも高く配置されている構成を採用する場合には、上記堰板部を係止具に係着させることになる。
【００２０】
上記堰板部を係止具に係着させる構成としては、堰板部を係脱不能に係止具に係着させることも可能であるが、係脱可能に係着させる構成を採用することが好ましく、係脱可能に係着する形態としては例えば蟻嵌合がある。
【００２１】
この構成によれば、例えばリフォーム時にリフォーム後の外壁厚さに対応させて水受部を長くした水切り板に短時間で付替えることができ、リフォームの工事時間を短縮できると共に、見栄えをよくすることができる。
【００２２】
具体的には、例えば、上記堰板部の上縁に内側下向きに開く鈎部を形成すると共に、該堰板部のそれよりも下側、例えば下縁に内側上向きに開く逆鈎部を形成することにより、該堰板部の内側面に上下方向の溝幅が内側で狭くなる蟻溝を形成し、この蟻溝に内側から嵌脱される係止部を上記係止具に設ければよい。
【００２３】
なお、本発明において、水切り部材の材質は特に限定されず、例えば亜鉛引き鉄板、ブリキ板、アルミ板、ステンレス鋼板などの金属板、合成樹脂板、木質板、金属又は合成樹脂の成形品などを用いればよく、耐候性及び耐久性を考慮して、金属又は合成樹脂を用いることが好ましい。
【００２４】
これらの材質の中では、金属板が軽量で、安価にできる上、容易に適度の弾性を得ることができるので最適である。
【００２５】
もちろん、この水切り部材の土台軸方向の長さは、標準的には外壁ユニットの土台軸方向の全長と同じに設計されるが、外壁ユニットの土台軸方向の途中で継足すようにしてもよく、出隅部、入隅部、ユニット繋ぎ部などにおいては隣接する外壁ユニットとの間での水切り部材の遣り取りを調整するために、長さを修正したり、端面処理をしたりすることがあり、又、補助的な繋ぎ用の水切り部材を設けたりすることがある。
【００２６】
次に、本発明に係る外壁ユニット工法は、上記目的を達成するため、本発明に係る外壁ユニットを基礎構造物に据付けた後、該外壁ユニットの係止具に水切り部材を係着することを特徴とする技術的手段を採用する。
【００２７】
本発明の外壁ユニット工法によれば、上述した本発明の外壁ユニットを用いるので、上記本発明の外壁ユニットにより得ることができる効果を得ることができる。
【００２８】
本発明の外壁ユニット工法のその他の詳細な説明は、上記本発明の外壁ユニットの詳細な説明と重複するので、ここでは省略する。
【００２９】
次に、本発明に係る水切り装置は、上記目的を達成するため、外壁材から該外壁材を据付ける基礎構造物への雨水の滴下を防止する水切り部材を備える水切り装置において、上記基礎構造物の上に固定される土台と上記外壁材との間に上記土台に固定される係止具が設けられ、上記水切り部材が、上記土台と外壁材との間で該外壁材の下縁よりも低い位置から該下縁よりも高く立ち上げられる堰板部と、この堰板部の下縁に連続して、当該外壁ユニットを据付ける基礎構造物の外側まで水平に又は外下がりに延出される水受部と、この水受部の外側縁から垂設される水切り部とを有し、上記堰板部の弾性変形を利用して該堰板部が蟻嵌合により上記係止具に係着されることを特徴とする技術的手段を採用する。
【００３０】
上記土台は、在来工法によって基礎構造物の上に固定されるものであっても、外壁ユニット工法に用いる外壁ユニットに組込まれたものであってもよいので、本発明の水切り装置は在来工法にも、外壁ユニット工法にも適用することができる。
【００３１】
この水切り装置を採用する在来工法としては、例えば基礎に土台を設置し、外壁の柱、間柱、胴縁、断熱材などを設置し、防水シート（防水紙）を設置した後、外壁材を設置する直前に係止具を防水シートの上から土台に固定し、更にこの後、外壁材を設置してから水切り部材の堰板部を基礎と外壁材の下縁との間から外壁材と係止具との間に差込んで係止具に係着するという方法が採用される。
【００３２】
この在来工法によれば、係止具や水切り部材が外壁材の設置以前に他物との接触で破損されたり、変形されたり、位置ずれしたり、脱落したりすることや、泥、モルタル、防水及び防腐用のコールタールなどで汚損されることを確実に防止できる。
【００３３】
又、この在来工法によれば、リフォームに際して、水切り部材を係止具から係脱し、リフォーム後の壁厚に対応して水受部を長くした新しい水切り部材を係止具に係着することにより、簡単に、かつ短時間で水切り部材を交換することができ、安価な工費で、外観上の美観を高めることができる。
【００３４】
更に、本発明の水切り装置を採用する外壁ユニット工法においては、上述した本発明の外壁ユニットを用いるので、本発明の外壁ユニットにより得ることができる作用ないし効果を得ることができる。
【００３５】
本発明の水切り装置についてのその他の詳細な説明は、上記本発明の外壁ユニットの詳細な説明と重複するので、ここでは省略する。
【発明の効果】
【００３６】
以上に説明したように、本発明の外壁ユニットによれば、上記係止具が外壁ユニットに組込まれているので、建築現場において係止具の設置位置の割り出し、係止具の設置、破損した係止具や変形した係止具の交換、係止具の位置修正、脱落した係止具の補充などの作業が不要になり、現場施工期間と人手を大幅に削減することができる上、据付作業の安全性を高めることができる効果を得ることができる。
【００３７】
又、本発明の外壁ユニットによれば、上記土台と外壁材とにより上記係止具が他物と接触したり、上記係止具に汚物が付着したりすることが防止されるので、上記水切り部材を装着する前に上記係止具が他物との接触により破損したり、変形したり、位置ずれしたり、脱落したりすることや、汚物の付着により水切り部材を装着できなくなることを確実に防止できる効果を得ることができる。
【００３８】
更に、本発明の外壁ユニットによれば、該外壁ユニットが基礎構造物に据付けられた後に水切り部材が係止具に係着することにより設置されるので、外壁ユニットの据付に際して水切り部材が外壁ユニットなどの他物に接触したり、水切り部材に汚物が付着したりするおそれはなく、設置前に水切り部材が他物との接触により破損したり、変形したり、位置ずれしたり、脱落したりすることや、汚物の付着により外観上の美観が損なわれることを確実に防止することができる効果を得ることができる。
【００３９】
次に、本発明の外壁ユニット工法は、上記本発明の外壁ユニットを用いるので、本発明の外壁ユニットにより得ることができる効果を得ることができる。
【００４０】
又、本発明の水切り装置は、在来工法にも、ユニット工法にも適用できる上、ユニット工法に適用すれば、上記本発明の外壁ユニットにより得ることができる効果を得ることができる。
【発明を実施するための最良の形態】
【００４１】
以下、本発明の一実施例に係る外壁ユニット及び該外壁ユニットを用いるユニット工法並びに、該外壁ユニット工法に採用されている水切り装置を図面に基づいて具体的に説明する。
【００４２】
図１は本発明の一実施例に係る水切り装置を適用した建物要部の縦断面図であり、図２はその斜視図であり、図２においては水切り部材は省略している。
【００４３】
図１と図２に示された建物は、在来工法により建築された木造軸組構造物であり、図１に示すように、地面に固定された基礎１の上に木質の土台２をアンカーボルト３により固定し、図１と図２に示すように、この土台２から立ち上げた柱４の外側に合板５を固定し、その外側に防水紙６を重ね、更にその外側から胴縁７を釘打ちしている。
【００４４】
この後、墨糸などを用いて後述する水切り装置１０の係止具１１を固定する高さを割り出し、例えば適当に選択された胴縁７の下側に防水紙６の上から水切り装置１０の係止具１１を釘打ち、ネジ止めなどにより上記合板５に固定する。
【００４５】
従って、土台２を設置してから上記係止具１１を設置するまでの間に、作業者が誤って柱４、合板５、胴縁７などの部材を係止具１１に接触させるおそれはなく、他物との接触により係止具１１が破損したり、変形したり、位置ずれしたり、脱落したりするおそれはない。
【００４６】
上記係止具１１を設置した後、胴縁７の外側に例えばモルタルなどからなる外壁材８が、その下縁９と上記基礎１の上面との間に所定の隙間が開かれるように、常方により設置され、更にこの後、上記水切り装置１０の水切り部材１２が上記係止具１１に係着される。
【００４７】
モルタルからなる外壁材８は、通常、下地板を胴縁に張り、必要に応じて防水紙を重ねて下地板の外側にラス張りをし、その上にモルタルを塗るという方法で設置されるが、上記係止具１１は上記下地板と胴縁７とに守られ、他物と接触したり、モルタルが付着したりすることはない。
【００４８】
図３は上記水切り装置１０の側面図であり、図１と図３に示すように、この水切り装置１０は上記係止具１１と水切り部材１２とを備えている。
【００４９】
上記係止具１１は、１枚の鉄板を折り曲げて形成したものであり、上記防水紙６及び合板５に沿う取付部１３と、この取付部１３の下縁から外下がりに連出された連結部１４と、この連結部１４の外側縁から垂直に立ち上げられた係止部１５とを備えている。
【００５０】
上記取付部１３は上記係止部１５よりも高く延出され、外側から見て係止部１５の上に露出している取付部１３の部分に釘、木ネジなどを挿通する挿通孔１６が形成されている。
【００５１】
上記水切り部材１２は、例えば厚さ０．３５ｍｍ程度の薄鉄板を折り曲げて形成したものであり、上記土台２と外壁材８との間で該外壁材８の下縁９よりも低い位置から該下縁９よりも高く立ち上げられる堰板部１７と、この堰板部１７の下縁に連続して、上記基礎１の外側まで外下がりに延出される水受部１８と、この水受部１８の外側縁から垂設される水切り部１９とを有している。
【００５２】
上記堰板部１７の上縁部には、該堰板部１７の上縁部を斜め内下向きに折り返して形成した内側下向きに開く鈎部２０が設けられ、又、上記堰板部１７の下縁部には、該堰板部１７の下縁を斜め内上向き折り返して形成した内側上向きに開く逆鈎部２１が設けられる。これにより、上記堰板部１７の内側面には、鈎部２０と逆鈎部２１により上下が区切られた蟻溝が形成されることになる。
【００５３】
図４はこの水切り部材１２を係止具１１に係脱する方法の説明図である。図４（Ａ）に実線で示すように、上記逆鈎部２１が係止具１１の下側に位置する状態では、上記鈎部２０は上記係止部１５の外側面に当接される高さに位置するので、図４（Ａ）に２点鎖線で示すように、上記逆鈎部２１が係止具１１に引っ掛らないように水切り部材１２を外上がりに回転させた状態で、鈎部２０を係止部１５に当接させながら図４（Ｂ）に２点鎖線で示すように、鈎部２０の鈎先が係止部１５の上縁以上になるまで水切り部材１２を持上げる。
【００５４】
鈎部２０の鈎先が係止部１５の上縁以上に高くした後、図４（Ｂ）に細実線で示すように堰板部１７が係止部１５に受止められるまで鈎部２０を内側に押し込んだ後、水切り部材１２を下げると、図４（Ｂ）に太実線で、図４（Ｃ）に２点鎖線でそれぞれ示すように、鈎部２０が係止部１５の上縁に引っ掛る。
【００５５】
この後、水切り部材１２を外下がりに回転させると、逆鈎部２１の鈎先が係止部１５の下を潜って内側に入り、図４（Ｃ）に実線で示すように上記堰板部１７が係止部１５の外側面を受止め、この係止部１５を鈎部２０と逆鈎部２１とで上下から抱え込む状態、すなわち、蟻嵌合の状態に水切り部材１２が係止具１１に係着される。
【００５６】
この水切り部材１２は、外壁材８が設置された後に、係止具１１に係着されるので、当然のことながら、外壁材８の設置完了前に、外壁の他の部材を誤って接触させるおそれはなく、又、外壁のモルタルや泥を被って汚損されるおそれもない。
【００５７】
又、リフォームに際しては、上記水切り部材１２を外上がりに回転させて、逆鈎部２１を係止部１１の外側に位置させた状態で、該水切り部材１２を上方にずらし、鈎部２０を係止部１５の上縁から掛け外してから、外壁材８と基礎１及び土台２の間から引出せばよく、簡単に、かつ短時間で水切り部材１２を分解することができる。
【００５８】
この後、外壁材８の外側に新しい外壁材を固定してから、分厚くなった外壁の合わせて水受け部１８の長い別の水切り部材１２を装着すると、古い水切る部材と新しい水きり部材とが２重に設けられる従来のリフォーム方法に比べて、工期を短縮できる上、簡素な外観を得ることができ、見栄えが良くなる。
【００５９】
図５は上記水切り装置１０を用いる鉄骨造軸組構造の建築物の縦断面図であり、この建築物の土台２、柱４などが軽量型鋼からなること、係止具１１がビスやリベットで取付けられることを除けばこの実施例の水切り装置１０は前例と同様に構成され、同様の作用ないし効果をえることができる。
【００６０】
又、図６は上記水切り装置１０を用いるユニット構造の建築物の縦断面図であり、基礎１の上に据付られる外壁ユニット３０は、基礎１の上面に固定される土台３２と、土台３２の両端から立ち上げられた支柱３３と、支柱３２の上端同視を連結する上梁とからなる構体３１を備え、又、この構体３１の外側面に石膏ボード３４と防水紙３５を挟んで組付けられた胴縁３６と外壁材３７とを備える。
【００６１】
この外壁材３７の下縁３８は上記土台３２の底面から所定の高さだけ高く位置させ、この外壁材３７の下縁３８よりも高く位置するように、上記土台３２の外側面に、防水紙３５と石膏ボード３４を挟んで、上記水切り装置１０の係止具１１がビス、リベットなどにより組付けられている。
【００６２】
この外壁ユニット３０によれば、上記係止具１１は土台３２と外壁材３７とにより保護され、輸送中、保管中及び据付作業中に上記係止具１１に他物が接触したり、上記係止具１１が泥、モルタル、コールタール（防腐剤）を被ったりすることが確実に防止される。その結果、輸送中、保管中及び据付工事中に上記係止具１１が破損したり、変形したり、位置ずれしたり、脱落したりすることや、異物の付着により上記係止具１１に水切り部材１２を係着できなくなったりすることを確実に防止できる。
【００６３】
又、据付現場において、係止具１１を配置する位置の割り出し作業や、係止具１１の組付作業はもちろん、破損した係止具１１や変形した係止具１１を交換する作業や、位置ずれした係止具１１の位置を修正する作業や、脱落した係止具１１を補充する作業が不要になる。その結果、現場施工時間をすこぶる大幅に短縮できると共に、人手をすこぶる大幅に削減することができる上、据付作業の安全性を著しく高めることができる。
【００６４】
ところで、上記外壁ユニット３０を基礎１に据付け、アンカーボルト３で固定した後、上述した要領で水切り装置１０の水切り部材１２が組付けられる。
【００６５】
従って、外壁ユニット３０の設置完了前に、外壁ユニット３０などの他の部材を誤って水切り部材１２に接触させるおそれはなく、又、水切り部材１２がモルタルや泥を被って汚損されるおそれもない。
【図面の簡単な説明】
【００６６】
【図１】本発明を適用した建物要部の縦断面図である。
【図２】本発明を適用した建物要部の斜視図である。
【図３】本発明を分解して示す側面図である。
【図４】本発明の水切り部材着脱方法を示す側面図である。
【図５】本発明を適用した建物要部の縦断面図である。
【図６】本発明を適用した建物要部の従断面図である。
【符号の説明】
【００６７】
１  基礎
２  土台
８  外壁材
１０  水切り装置
１１  係止具
１２  水切り部材
１５  係止部
１７  堰板部
１８  水受部
１９  水切り部
２０  鈎部
２１  逆鈎部
３０  外壁ユニット
３２  土台
３７  外壁材
【図１】
2005097905.tif 000003
【図２】
2005097905.tif 000004
【図３】
2005097905.tif 000005
【図４】
2005097905.tif 000006
【図５】
2005097905.tif 000007
【図６】
2005097905.tif 000008